(57)【特許請求の範囲】
【請求項１】
同一映像を異なる解像度で放送するディジタル放送を受信して表示するディジタル放送受信装置であって、
複数のフレームで構成される高解像度映像および複数のフレームで構成される低解像度映像を含むディジタル放送電波を復調して、高解像度映像ストリームおよび低解像度映像ストリームを出力する復調手段と、
前記高解像度映像ストリームをデコードして高解像度映像フレームを出力する高解像度映像デコーダと、
前記低解像度映像ストリームをデコードして低解像度映像フレームを出力する低解像度映像デコーダと、
前記高解像度映像デコーダから出力されたそれぞれの高解像度映像フレームと前記低解像度映像デコーダから出力されたそれぞれの低解像度映像フレームとを比較して、予め定められた相関係数以下の高解像度映像フレームの領域をノイズ領域として検出するノイズ領域検出手段と、
前記ノイズ領域検出手段によって検出されたノイズ領域に基づいて、当該ノイズ領域に対応する低解像度映像フレームの領域と、当該ノイズ領域以外の高解像度映像フレームの領域とを合成し、合成したフレームを表示装置に表示する合成手段と
を備えることを特徴とするディジタル放送受信装置。
【請求項２】
請求項１に記載のディジタル放送受信装置であって、
前記ディジタル放送電波の受信状態を測定する受信状態測定手段と、
前記受信状態測定手段によって測定された、前記ディジタル放送電波の受信状態に基づいて、
当該受信状態が、予め定められた第１の閾値以上の場合に、前記ノイズ領域検出手段および前記低解像度映像デコーダを停止させると共に、前記合成手段に指示して、前記高解像度映像デコーダがデコードした高解像度映像フレームを表示装置に表示させ、
当該受信状態が、前記第１の閾値未満であり、かつ、予め定められた、前記第１の閾値よりも低い第２の閾値以上の場合に、前記ノイズ領域検出手段、前記高解像度映像デコーダ、および前記低解像度映像デコーダを動作させると共に、前記合成手段に指示して、前記ノイズ領域検出手段によって検出されたノイズ領域に基づいて、当該ノイズ領域に対応する低解像度映像フレームの領域と、当該ノイズ領域以外の高解像度映像フレームの領域とを合成して表示装置に表示させ、
当該受信状態が、前記第２の閾値未満の場合に、前記ノイズ領域検出手段および前記高解像度映像デコーダを停止させると共に、前記合成手段に指示して、前記低解像度映像デコーダがデコードした低解像度映像フレームを表示装置に表示させる動作制御手段と
をさらに備えることを特徴とするディジタル放送受信装置。
【請求項３】
請求項１または２に記載のディジタル放送受信装置であって、
前記合成手段は、
前記高解像度映像デコーダから取得した高解像度映像フレームから、前記ノイズ領域以外の領域を抽出する透明処理手段と、
前記透明処理手段によって抽出された高解像度映像フレームの領域のデータを格納する第１プレーンと、
前記低解像度映像デコーダから出力された低解像度映像フレームを格納する第２プレーンと、
前記第２プレーンに格納されたフレームのデータをビデオメモリに書き込んだ後に、前記第１プレーンに格納されたフレームのデータをビデオメモリに上書きする合成処理手段と
を備えることを特徴とするディジタル放送受信装置。
【請求項４】
請求項１から３のいずれか一項に記載のディジタル放送受信装置であって、
前記合成手段は、
前記高解像度映像デコーダから出力された高解像度映像フレームを格納する第１プレーンと、
前記低解像度映像デコーダから取得した低解像度映像フレームから、前記ノイズ領域に対応する領域を抽出する透明処理手段と、
前記透明処理手段によって抽出された低解像度映像フレームの領域のデータを格納する第２プレーンと、
前記第１プレーンに格納されたフレームのデータをビデオメモリに書き込んだ後に、前記第２プレーンに格納されたフレームのデータをビデオメモリに上書きする合成処理手段と
を備えることを特徴とするディジタル放送受信装置。
【発明の詳細な説明】
【技術分野】
【０００１】
本発明は、同一の映像を異なる解像度で、１つの電波に多重化して放送するディジタル放送の受信装置に関する。
【背景技術】
【０００２】
最近開始された地上波ディジタル放送では、各放送局に割り当てられた伝送帯域を多数のセグメントに分割し、１つ以上のセグメントで構成した階層を複数同時に伝送する階層伝送が行われる。階層伝送では、階層を構成するセグメント数が多いほど、高解像度の映像を伝送できるが、車両等において移動中にストリームの誤り無く受信するのが困難になる。そこで、例えば、日本が準拠しているＩＳＤＢ−Ｔ方式では、１チャネルのディジタル放送用帯域を１３個のセグメントに分割し、その中の１２個のセグメントを使って固定受信装置向けに高解像度の映像を提供し、残りの１個のセグメントを使って伝送誤りに対する耐性の高い伝送方式による低解像度の映像を提供する。
【０００３】
これにより、家庭等に設置される固定受信装置によって、高解像度のディジタル放送を受信できると共に、携帯電話やＰＤＡ等の移動受信装置によって、低解像度ではあるが、移動中でも安定したディジタル放送の受信が可能となる。
【０００４】
しかし、車両に搭載されるナビゲーション装置等のように、移動体に搭載され、携帯電話やＰＤＡ等よりも比較的大きな画面を有する移動受信装置においては、移動中であっても可能な限り、１２個のセグメントを用いた高解像度の映像を表示したいという要望がある。
【０００５】
これを実現するために、例えば、特許文献１では、ディジタル放送用信号の受信誤り率（ビットエラーレート）を測定し、受信誤り率が所定の閾値を超えたときに、ディジタル放送用のデコーダに、１セグメントを用いて送信される低階層伝送情報をデコードさせるようにしている。
【０００６】
【特許文献１】特開２００３−１４３５０３号公報
【発明の開示】
【発明が解決しようとする課題】
【０００７】
ところで、ＳＤＴＶやＨＤＴＶ相当の高解像度映像と、ＱＶＧＡ相当の低解像度映像とを、同一の画面サイズで切り替えて表示するとすれば、表示される映像の解像度の差に、閲覧者は、大きな違和感を受ける場合がある。例えば、高解像度映像から低解像度の映像に切り替わってしまうと、閲覧者は、高解像度の映像中で認識していた対象物を、低解像度の映像中で見失う場合がある。
【０００８】
また、受信装置と共に移動している間は、受信電界強度が短時間で急激に変動する場合が多く、高品質映像と低品質映像とがめまぐるしく切り替わる場合がある。このような状態では、閲覧者は、さらに見にくさを感じることになる。また、見にくさを低減するために、低解像度映像のみを表示するとすれば、映像コンテンツは、高解像度映像ならではの高い表現力を発揮することができず、広告効果等が低下する場合がある。
【０００９】
本発明は上記事情を鑑みてなされたものであり、本発明の目的は、高解像度の映像をより長い時間表示することができると共に、閲覧者に与える表示上の違和感を低減することができるようにすることにある。
【課題を解決するための手段】
【００１０】
上記課題を解決するために、本発明のディジタル放送受信装置は、デコードした高解像度映像のフレーム内にエラーがある場合に、当該エラーの領域以外の高解像度映像のフレーム内の領域と、当該エラーの領域に対応する低解像度映像のフレーム内の領域とを合成して表示する。
【００１２】
また、本発明は、例えば、同一映像を異なる解像度で放送するディジタル放送を受信して表示するディジタル放送受信装置であって、複数のフレームで構成される高解像度映像および複数のフレームで構成される低解像度映像を含むディジタル放送電波を復調して、高解像度映像ストリームおよび低解像度映像ストリームを出力する復調手段と、高解像度映像ストリームをデコードして高解像度映像フレームを出力する高解像度映像デコーダと、低解像度映像ストリームをデコードして低解像度映像フレームを出力する低解像度映像デコーダと、高解像度映像デコーダから出力されたそれぞれの高解像度映像フレームと低解像度映像デコーダから出力されたそれぞれの低解像度映像フレームとを比較して、予め定められた相関係数以下の高解像度映像フレームの領域をノイズ領域として検出するノイズ領域検出手段と、ノイズ領域検出手段によって検出されたノイズ領域に基づいて、当該ノイズ領域に対応する低解像度映像フレームの領域と、当該ノイズ領域以外の高解像度映像フレームの領域とを合成し、合成したフレームを表示装置に表示する合成手段とを備えることを特徴とするディジタル放送受信装置を提供する。
【発明の効果】
【００１３】
本発明のディジタル放送受信装置によれば、高解像度の映像をより長い時間表示することができると共に、閲覧者に与える表示上の違和感を低減することができる。
【発明を実施するための最良の形態】
【００１４】
以下に、本発明の第１の実施形態について、図面を参照しながら説明する。
【００１５】
図１は、本発明の第１の実施形態に係るディジタル放送受信システム１０の構成の一例を示す。ディジタル放送受信システム１０は、アンテナ１１、表示装置１２、およびディジタル放送受信装置２０を備える。ディジタル放送受信装置２０は、復調部２００、分離処理部２０１、ノイズ領域検出部２０２、高解像度映像デコーダ２０３、低解像度映像デコーダ２０４、および合成部２１０を有する。
【００１６】
復調部２００は、ディジタル放送中継局から送信されるディジタル放送電波を、アンテナ１１を介して受信する。そして、復調部２００は、受信した信号を復調し、デインタリーブやデスクランブル、誤り検出・訂正処理等の処理を行って、高解像度映像を含むＴＳ（Ｔｒａｎｓｐｏｒｔ  Ｓｔｒｅａｍ）パケットと低解像度映像を含むＴＳパケットを出力する。ＴＳパケットのヘッダには、誤りを含んでいることを示すエラーインジケータが含まれており、復調部２００は、誤りを検出したが、その誤りを訂正できなかった場合に、ＴＳパケットのエラーインジケータをオンにする。
【００１７】
復調部２００は、例えば、チューナ回路およびＯＦＤＭ受信回路から構成される。本実施形態の復調部２００は、１つのチューナ回路および１つのＯＦＤＭ受信回路から構成されている。また、他の実施形態として、復調部２００は、複数のチューナ回路および複数のＯＦＤＭ受信回路を有するダイバーシティ受信機能を有する構成であってもよい。
【００１８】
分離処理部２０１は、復調部２００から出力されたＴＳパケットのヘッダ情報に格納されたＩＤ（ＰＩＤ）に基づいて、ＴＳパケットの中から高解像度映像を含むＴＳパケットと、低解像度映像を含むＴＳパケットとを分離し、高解像度映像を含むＴＳパケットをノイズ領域検出部２０２に、低解像度映像を含むＴＳパケットを低解像度映像デコーダ２０４に、それぞれ供給する。なお、ヘッダに特定のＩＤが格納されたＴＳパケットに、高解像度映像を含むＴＳパケットのＰＩＤおよび低解像度映像を含むＴＳパケットのＰＩＤが記述されており、分離処理部２０１は、このＴＳパケットを取得することによって、高解像度映像を含むＴＳパケットと低解像度映像を含むＴＳパケットとを分離することができる。
【００１９】
低解像度映像デコーダ２０４は、低解像度映像を含むＴＳパケットを分離処理部２０１から受信し、受信したＴＳパケットのペイロードからＰＥＳ（Ｐａｃｋｅｔｉｚｅｄ  Ｅｌｅｍｅｎｔａｒｙ  Ｓｔｒｅａｍ）を構築する。そして、低解像度映像デコーダ２０４は、構築したＰＥＳからＥＳ（Ｅｌｅｍｅｎｔａｒｙ  Ｓｔｒｅａｍ）を取り出して、圧縮されて伝送された映像の圧縮を解除し、低解像度映像フレームを出力する。本実施形態の低解像度映像は、フレームサイズがＱＶＧＡサイズであり、例えば１秒間に１５フレームの間隔で表示装置１２に表示される。
【００２０】
ノイズ領域検出部２０２は、高解像度映像を含むＴＳパケットを受信し、受信したＴＳパケットのペイロードからＰＥＳを構築する。そして、ノイズ領域検出部２０２は、構築したＰＥＳを高解像度映像デコーダ２０３に供給する。
【００２１】
また、ノイズ領域検出部２０２は、ＰＥＳを構築する際に使用したＴＳパケットのエラーインジケータに基づいて、ＰＥＳ内のエラー箇所を検出する。ここで、本実施形態では、高解像度映像に対応する１つのＰＥＳは、高解像度映像の１フレームに対応する。ノイズ領域検出部２０２は、ＰＥＳ内のエラー箇所を検出することにより、１つのフレーム内のノイズ領域を検出し、検出したノイズ領域の情報を合成部２１０に供給する。ノイズ領域の情報の詳細については後述する。
【００２２】
高解像度映像デコーダ２０３は、ノイズ領域検出部２０２から供給されたＰＥＳからＥＳを取り出して、圧縮されて伝送された映像の圧縮を解除し、高解像度映像のフレームを出力する。本実施形態の高解像度映像は、フレームサイズがＨＤＴＶサイズであり、例えば１秒間に３０フレームの間隔で表示装置１２に表示される。
【００２３】
合成部２１０は、ノイズ領域検出部２０２から受け取った、高解像度映像のそれぞれのフレームのノイズ領域の情報に基づいて、当該ノイズ領域に対応する低解像度映像フレームの領域と、当該ノイズ領域以外の高解像度映像フレームの領域とを合成し、合成したフレームを表示装置１２に表示する。合成部２１０の詳しい処理については後述する。
【００２４】
また、高解像度映像デコーダ２０３は、ノイズ領域検出部２０２からＰＥＳが供給された場合に、起動して、当該ＰＥＳのデコードを開始する。ノイズ領域検出部２０２は、１つのＰＥＳ内で、エラーインジケータがオンになっているＴＳパケットが、予め定められた割合以上である場合に、当該ＰＥＳを高解像度映像デコーダ２０３に供給しないことにより、高解像度映像デコーダ２０３を停止させる。このとき、ノイズ領域検出部２０２は、合成部２１０に指示して、低解像度映像デコーダ２０４がデコードした低解像度映像フレームを表示装置１２に表示させる。ここで、予め定められた割合とは、例えば８０％である。
【００２５】
これにより、ディジタル放送電波の受信状態が悪くなり、高解像度映像を含むＴＳパケットを正しく復調できない場合等に、高解像度映像デコーダ２０３を停止することにより、ディジタル放送受信装置２０は、消費電力を低減することができる。
【００２６】
図２は、ノイズ領域検出部２０２によって検出されるノイズ領域を説明するための概念図である。ノイズ領域検出部２０２は、ＰＥＳを構築する際に使用したＴＳパケットのエラーインジケータに基づいて、１つのＰＥＳに対応する高解像度映像フレーム内のノイズ領域を検出する。
【００２７】
フレーム３００は、１つのＰＥＳから構築された高解像度映像フレームを示す。エラー箇所３０２は、エラーインジケータがオンのＴＳパケットから作られたフレームの領域を示す。ノイズ領域検出部２０２は、フレーム３００上に定義されたＸＹ座標において、エラー箇所３０２を囲む領域をノイズ領域として検出し、検出したノイズ領域を特定するＸ座標およびＹ座標をノイズ領域の情報として合成部２１０に供給する。
【００２８】
本実施形態において、ノイズ領域検出部２０２は、複数のエラー箇所３０２を囲む最小の長方形をノイズ領域として検出し、検出したノイズ領域の対角線の両端の座標を、ノイズ領域の情報として分離処理部２０１に供給する。図２に示す例では、ノイズ領域検出部２０２は、（ｘ１，ｙ１）および（ｘ２，ｙ２）よって囲まれる領域をノイズ領域として検出し、（ｘ１，ｙ１）および（ｘ２，ｙ２）の座標をノイズ領域の情報として分離処理部２０１へ供給する。
【００２９】
図３は、合成部２１０の詳細な構成の一例を示す。合成部２１０は、透明処理部２１１、第１プレーン２１２、第２プレーン２１３、および合成処理部２１４を有する。第２プレーン２１３は、低解像度映像デコーダ２０４から低解像度映像フレームを取得して格納する。
【００３０】
透明処理部２１１は、高解像度映像デコーダ２０３から高解像度映像フレームを取得すると共に、ノイズ領域検出部２０２から当該高解像度映像フレーム内のノイズ領域の情報を取得する。そして。透明処理部２１１は、高解像度映像フレーム内のノイズ領域以外の領域のフレームデータを抽出して第１プレーン２１２に格納する。
【００３１】
合成処理部２１４は、第２プレーン２１３に格納された低解像度映像のフレームデータを、高解像度映像のフレームデータと略等しい大きさに拡大し、拡大したフレームデータをビデオメモリに書き込む。そして、合成処理部２１４は、拡大した低解像度映像のフレームデータが書き込まれたビデオメモリに、合成処理部２１４に格納されたフレームデータを上書きすることにより、第１プレーン２１２に格納されたフレームデータと第２プレーン２１３に格納されたフレームデータとを合成する。そして、合成処理部２１４は、合成したフレームデータを表示装置１２に表示させる。
【００３２】
なお、放送された映像ストリーム中には、同時刻に提示すべきフレームがどれになるかを指示するために同期信号の元となるＰＣＲ（Ｐｒｏｇｒａｍ  Ｃｌｏｃｋ  Ｒｅｆｅｒｅｎｃｅ）値を持つＴＳパケットが定期的に含まれる。ディジタル放送受信装置２０は、装置内のクロックを当該ＰＣＲに同期するように設定する。一方、各映像フレームには、ＰＣＲに対していつ表示すべきかを示すタイムスタンプであるＰＴＳ（Ｐｒｅｓｅｎｔａｔｉｏｎ  Ｔｉｍｅ  Ｓｔａｍｐ）が含まれる。これにより、合成部２１０は、高解像度映像フレームが、低解像度映像フレームのいずれに対応するものであるかを特定することができる。
【００３３】
また、本実施形態において、高解像度映像は、１秒間に３０フレームの間隔で放送されるので、第１プレーン２１２が格納するフレームデータは、１秒間に３０フレームの間隔で更新される。また、低解像度映像は、１秒間に１５フレームの間隔で放送されるので、第２プレーン２１３が格納するフレームデータは、１秒間に１５フレームの間隔で更新される。そのため、合成処理部２１４は、１秒間に３０フレームの間隔で、合成処理を行う。このとき、合成処理部２１４は、第２プレーン２１３に格納されたフレームデータを続けて２回使用する。
【００３４】
図４は、合成部２１０による処理の一例を説明するための概念図である。図４（ａ）は、高解像度映像デコーダ２０３から出力された高解像度映像フレーム３１０を示し、図４（ｂ）は、低解像度映像デコーダ２０４から出力されて第２プレーン２１３に格納された低解像度映像フレーム３１１を示す。
【００３５】
透明処理部２１１は、ノイズ領域検出部２０２から取得したノイズ領域を示す情報に基づいて、高解像度映像フレーム３１０内のノイズ領域以外の領域を抽出して、図４（ｃ）に示すようなフレームデータ３１２を生成し、生成したフレームデータ３１２を第１プレーン２１２に格納する。
【００３６】
次に、合成処理部２１４は、第２プレーン２１３に格納された低解像度映像フレーム３１１を、図４（ｄ）に示すように、高解像度映像のフレームデータ３１２と略等しい大きさに拡大する。そして、合成処理部２１４は、拡大したフレームデータ３１４をビデオメモリに書き込んだ後に、続けて第１プレーン２１２に格納されたフレームデータ３１２を上書きすることにより、図４（ｃ）に示すフレームデータ３１２と図４（ｄ）に示すフレームデータ３１４とを合成して、ビデオメモリ上に、図４（ｅ）に示すようなフレームデータ３１５を作成する。
【００３７】
ここで、移動しながら電波を受信する場合、フェージングやシャドウイング等により、瞬間的に受信状態が悪化する場合がある。このとき、受信信号の一部にエラーが含まれる場合がある。受信信号の一部にエラーが含まれると、表示するフレームの一部にノイズが現れることになる。ノイズ領域の画素値はランダムな値であり、フレームに表示される画像の画素値との相関が低い値場合が多い。そのため、このような映像を、ノイズを含んだまま表示するとすれば、他の画素に比べてノイズ領域が目立ち、非常に見にくい映像となる場合が多い。
【００３８】
また、ノイズ領域を含んだ高解像度フレームに代えて、同時に受信している低解像度映像フレームを表示するとすれば、ノイズに起因する映像の見にくさは無くなるものの、高解像度映像ならではの表現力が失われてしまう場合がある。従って、高解像度映像を用いたコマーシャル等の宣伝効果が失われてしまう場合がある。さらに、高解像度映像フレームを表示していたにもかかわらず、次の瞬間に低解像度映像フレームを表示するとすれば、閲覧者は、高解像度映像中で認識していた対象物を、低解像度映像になった瞬間に見失ってしまう場合がある。
【００３９】
これに対して、本実施形態のディジタル放送受信装置２０は、ノイズの無い高解像度映像フレームの領域はそのまま表示しつつ、ノイズ領域に対応する部分は、低解像度映像フレームの対応する領域を表示する。これにより、本実施形態のディジタル放送受信装置２０は、高解像度映像をより長く表示することができると共に、閲覧者に与える表示上の違和感を低減することができる。
【００４０】
以上、本発明の第１の実施形態について説明した。
【００４１】
なお、本発明は上記の実施形態に限定されるものではなく、その要旨の範囲内で数々の変形が可能である。
【００４２】
以下、本発明の第２の実施形態について説明する。
【００４３】
図５は、第２の実施形態における合成部２１０の詳細な構成の一例を示す。なお、本実施形態において、合成部２１０以外の機能ブロックについては、第１の実施形態と同一または同様の機能および構成であるため説明を省略する。
【００４４】
合成部２１０は、第１プレーン２１５、透明処理部２１６、第２プレーン２１７、および合成処理部２１８を有する。第１プレーン２１５は、高解像度映像デコーダ２０３から高解像度映像フレームを取得して格納する。
【００４５】
透明処理部２１６は、低解像度映像デコーダ２０４から低解像度映像フレームを取得し、ノイズ領域検出部２０２から高解像度映像フレーム内のノイズ領域の情報を取得する。そして、透明処理部２１６は、低解像度映像デコーダ２０４から取得した低解像度映像フレームを、高解像度映像デコーダ２０３が出力する高解像度映像フレームと略等しい大きさに拡大し、高解像度映像フレーム内のノイズ領域に対応する領域のフレームデータを抽出して第２プレーン２１７に格納する。
【００４６】
合成処理部２１８は、第１プレーン２１５に格納された高解像度映像のフレームデータをビデオメモリに書き込む。そして、合成処理部２１８は、高解像度映像のフレームデータが書き込まれたビデオメモリに、第２プレーン２１７に格納されたフレームデータを上書きすることにより、第１プレーン２１５に格納されたフレームデータと第２プレーン２１７に格納されたフレームデータとを合成する。そして、合成処理部２１８は、合成したフレームデータを表示装置１２に表示させる。
【００４７】
図６は、第２の実施形態における合成部２１０の詳細な処理の一例を説明するための概念図である。図６（ａ）は、高解像度映像デコーダ２０３から出力されて第１プレーン２１５に格納された高解像度映像フレーム３２０を示し、図６（ｂ）は、低解像度映像デコーダ２０４から出力された低解像度映像フレーム３２１を示す。
【００４８】
透明処理部２１６は、図６（ｃ）に示すように、低解像度映像デコーダ２０４から取得した低解像度映像フレーム３２２を拡大して、高解像度映像フレーム３２０と略等しい大きさのフレームデータ３２３を生成する。そして、透明処理部２１６は、高解像度映像フレーム３２０のノイズ領域３２１に対応する領域３２４を抽出して、図６（ｄ）に示すようなフレームデータ３２５を生成し、生成したフレームデータ３２５を第２プレーン２１７に格納する。
【００４９】
次に、合成処理部２１８は、第１プレーン２１５に格納された高解像度映像フレーム３２０をビデオメモリに書き込んだ後に、続けて第２プレーン２１７に格納されたフレームデータ３２５上書きすることにより、図６（ａ）に示す高解像度映像フレーム３２０と図６（ｄ）に示すフレームデータ３２５とを合成して、ビデオメモリ上に、図６（ｅ）に示すようなフレームデータ３２６を作成する。
【００５０】
本実施形態のディジタル放送受信装置２０においても、高解像度の映像をより長い時間表示することができると共に、閲覧者に与える表示上の違和感を低減することができる。
【００５１】
以上、本発明の第２の実施形態について説明した。
【００５２】
次に、本発明の第３の実施形態について説明する。
【００５３】
図７は、第３の実施形態に係るディジタル放送受信システム１０の構成の一例を示す。ディジタル放送受信システム１０は、アンテナ１１、表示装置１２、およびディジタル放送受信装置２０を備える。ディジタル放送受信装置２０は、復調部２００、分離処理部２０１、ノイズ領域検出部２０２、高解像度映像デコーダ２０３、低解像度映像デコーダ２０４、受信状態測定部２０５、動作制御部２０６、および合成部２１０を有する。なお、以下に説明する点を除き、図７において、図１と同じ符号を付した構成は、図１における構成と同一または同様の機能を有するため説明を省略する。
【００５４】
受信状態測定部２０５は、ディジタル放送電波の受信状態を測定する。本実施形態において、受信状態測定部２０５は、ディジタル放送電波の受信状態として、ディジタル放送電波の受信電界強度を測定する。また、他の実施形態として、受信状態測定部２０５は、ディジタル放送電波を復調して得られるＢＥＲ（Ｂｉｔ  Ｅｒｒｏｒ  Ｒａｔｅ）やＣＮＲ（Ｃａｒｒｉｅｒ  ｖｓ．  Ｎｏｉｓｅ  Ｒａｔｉｏ）等を、ディジタル放送電波の受信状態として測定してもよい。
【００５５】
動作制御部２０６は、受信状態測定部２０５が測定したディジタル放送電波の受信状態に応じて、ノイズ領域検出部２０２、低解像度映像デコーダ２０４、および合成部２１０の動作を制御する。例えば、動作制御部２０６は、受信状態測定部２０５によって測定されたディジタル放送電波の受信電界強度が、予め定められた閾値（例えば−５０ｄＢｍ）以上の場合に、低解像度映像デコーダ２０４を停止させ、ノイズ領域検出部２０２に指示してノイズ領域の検出処理を停止させ、合成部２１０に指示して高解像度映像デコーダ２０３によってデコードされた高解像度映像を表示装置１２に表示させる。
【００５６】
この場合、ノイズ領域検出部２０２は、分離処理部２０１から受け取ったＴＳパケットからＰＥＳを構築して高解像度映像デコーダ２０３へ供給する処理については継続して行う。また、合成部２１０は、高解像度映像デコーダ２０３から受け取った高解像度映像フレーム全体をビデオメモリに書き込む処理を行う。
【００５７】
また、受信状態測定部２０５によって測定されたディジタル放送電波の受信電界強度が閾値未満の場合には、動作制御部２０６は、ノイズ領域検出部２０２、低解像度映像デコーダ２０４、および動作制御部２０６に、通常の処理を行わせる。
【００５８】
このように、ディジタル放送電波の受信状態が良い場合に、ノイズ領域検出部２０２によるノイズ領域検出処理と低解像度映像デコーダ２０４によるデコード処理とを停止することができるので、ディジタル放送受信装置２０は、消費電力を低減することができる。
【００５９】
以上、本発明の第３の実施形態について説明した。
【００６０】
次に、本発明の第４の実施形態について説明する。
【００６１】
図８は、第４の実施形態に係るディジタル放送受信システム１０の構成の一例を示す。ディジタル放送受信システム１０は、アンテナ１１、表示装置１２、およびディジタル放送受信装置２０を備える。ディジタル放送受信装置２０は、復調部２００、分離処理部２０１、低解像度映像デコーダ２０４、受信状態測定部２０５、高解像度映像デコーダ２２０、動作制御部２２１、ノイズ領域検出部２２２、および合成部２２３を有する。なお、以下に説明する点を除き、図８において、図７と同じ符号を付した構成は、図７における構成と同一または同様の機能および構成を有するため説明を省略する。
【００６２】
高解像度映像デコーダ２２０は、高解像度映像を含むＴＳパケットを分離処理部２０１から受信し、受信したＴＳパケットのペイロードからＰＥＳを構築する。そして、高解像度映像デコーダ２２０は、構築したＰＥＳからＥＳを取り出して、圧縮されて伝送された映像の圧縮を解除し、高解像度映像フレームを出力する。
【００６３】
ノイズ領域検出部２２２は、高解像度映像デコーダ２２０から出力された高解像度映像フレームと、低解像度映像デコーダ２０４から出力された低解像度映像フレームとを比較して、ノイズ領域を検出する。例えば、ノイズ領域検出部２２２は、低解像度映像フレームを、高解像度映像フレームと略等しい大きさに拡大し、拡大した低解像度映像フレームと高解像度映像フレームとの相関係数を画素毎に算出する。
【００６４】
そして、予め定められた値よりも相関係数が低い高解像度映像フレームの画素をノイズと判定し、ノイズと判定された画素を囲む領域をノイズ領域として検出し、検出したノイズ領域の情報を合成部２２３に出力する。ノイズ領域検出部２２２は、ノイズ領域の情報として、例えば図２で説明した長方形の対角線の両端の座標を出力する。
【００６５】
合成部２２３は、ノイズ領域検出部２２２から受け取ったノイズ領域の情報に基づいて、高解像度映像フレームと低解像度映像フレームとをアルファブレンディングにより合成し、合成したフレームを表示装置１２に表示する。合成部２２３は、例えば、高解像度映像フレーム内の画素値（Ｒ１，Ｇ１，Ｂ１）および低解像度映像フレーム内の画素値（Ｒ２，Ｇ２，Ｂ２）に基づいて、以下の関係式を用いて、ビデオメモリに書き込むそれぞれの画素値（Ｒ’，Ｇ’，Ｂ’）を算出し、算出した画素値をビデオメモリに書き込む。
【００６６】
【数１】
0004832038.tif 000002
【００６７】
ここで、０≦α≦１、ノイズ領域内の画素についてはα＝１、ノイズ領域外の画素についてはα＝０。
【００６８】
動作制御部２２１は、受信状態測定部２０５によって測定されたディジタル放送電波の受信状態に応じて、低解像度映像デコーダ２０４、高解像度映像デコーダ２２０、ノイズ領域検出部２２２、および合成部２２３の動作を制御する。本実施形態において、受信状態測定部２０５は、ディジタル放送電波の受信状態として、ディジタル放送電波の受信電界強度を測定する。
【００６９】
例えば、動作制御部２２１は、受信状態測定部２０５によって測定されたディジタル放送電波の受信電界強度が、予め定められた第１の閾値（例えば−５０ｄＢｍ）以上の場合に、高解像度映像デコーダ２２０を動作させ、低解像度映像デコーダ２０４およびノイズ領域検出部２２２を停止させ、合成部２２３に指示して、高解像度映像デコーダ２２０によってデコードされた高解像度映像フレーム全体をビデオメモリに書き込ませることにより、高解像度映像を表示装置１２に表示させる。
【００７０】
また、受信状態測定部２０５によって測定されたディジタル放送電波の受信電界強度が、第１の閾値未満であり、かつ、予め定められた第２の閾値（例えば−８０ｄＢｍ）以上の場合、動作制御部２２１は、低解像度映像デコーダ２０４、高解像度映像デコーダ２２０、およびノイズ領域検出部２２２を動作させると共に、合成部２２３に、ノイズ領域の情報に基づいて、高解像度映像フレームの領域と低解像度映像フレームの領域とをアルファブレンディングにより合成させる。
【００７１】
また、受信状態測定部２０５によって測定されたディジタル放送電波の受信電界強度が、第２の閾値未満の場合、動作制御部２２１は、低解像度映像デコーダ２０４を動作させ、高解像度映像デコーダ２２０およびノイズ領域検出部２２２を停止させ、合成部２２３に指示して、低解像度映像デコーダ２０４によってデコードされた低解像度映像フレーム全体をビデオメモリに書き込ませることにより、低解像度映像を表示装置１２に表示させる。
【００７２】
このように、ディジタル放送電波の受信状態が第１の閾値よりも良い場合および第２の閾値よりも悪い場合に、ディジタル放送受信装置２０は、消費電力を低減することができる。
【００７３】
以上、本発明の第４の実施形態について説明した。
【００７４】
本発明は上記した実施形態に限られない。例えば、上記実施形態のディジタル放送受信装置２０は、第１プレーンおよび第２プレーンを用いて、あるいは、アルファブレンディング処理を用いて、ノイズ領域に対応する低解像度映像フレームの領域と、当該ノイズ領域以外の高解像度映像フレームの領域とを合成したが、他の形態として、合成部２１０は、ノイズ領域に対応するビデオメモリの領域には、低解像度映像フレームを書き込み、ノイズ領域以外の領域に対応するビデオメモリの領域には、高解像度映像のフレームを書き込むようにしてもよい。
【００７５】
また、上記した実施形態では、エラーインジケータがオンになっているＴＳパケットで構築される高解像度映像フレームの領域、または、低解像度映像のフレームとの相関係数が予め定められた値よりも低い高解像度映像フレームの領域をノイズ領域として検出したが、本発明はこれらに限られない。例えば、高解像度映像フレームにおいて、画素値の変化量が、予め定められた変化量以上であり、かつ、その画素値の変化が起こっている境界が、フレームの符号化単位であるブロックの境界と一致している場合に、そのブロックをノイズと判定してもよい。
【図面の簡単な説明】
【００７６】
【図１】本発明の第１の実施形態に係るディジタル放送受信システム１０の構成の一例を示す。
【図２】ノイズ領域検出部２０２によって検出されるノイズ領域を説明するための概念図である。
【図３】合成部２１０の詳細な構成の一例を示す。
【図４】合成部２１０による処理の一例を説明するための概念図である。
【図５】第２の実施形態における合成部２１０の詳細な構成の一例を示す。
【図６】第２の実施形態における合成部２１０の処理の一例を説明するための概念図である。
【図７】第３の実施形態に係るディジタル放送受信システム１０の構成の一例を示す。
【図８】第４の実施形態に係るディジタル放送受信システム１０の構成の一例を示す。
【符号の説明】
【００７７】
１０・・・ディジタル放送受信システム、１１・・・アンテナ、１２・・・表示装置、２０・・・ディジタル放送受信装置、２００・・・復調部、２０１・・・分離処理部、２０２、２２２・・・ノイズ領域検出部、２０３、２２０・・・高解像度映像デコーダ、２０４・・・低解像度映像デコーダ、２０５・・・受信状態測定部、２０６・・・動作制御部、２１０、２２３・・・合成部、２１１、２１６・・・透明処理部、２１２、２１５・・・第１プレーン、２１３、２１７・・・第２プレーン、２１４、２１８・・・合成処理部、２２１・・・動作制御部、３００、３３６・・・フレーム、３０１、３１３、３１６、３２１、３３３、３３７・・・ノイズ領域、３０２・・・エラー箇所、３１０、３２０、３３０、３３２・・・高解像度映像フレーム、３１１、３２２、３３１、３３４・・・低解像度映像フレーム、３１２、３１４、３１５、３２３、３２５、３２６・・・フレームデータ、３２４、３２７、３３５・・・領域
【図１】
0004832038.tif 000003
【図２】
0004832038.tif 000004
【図３】
0004832038.tif 000005
【図４】
0004832038.tif 000006
【図５】
0004832038.tif 000007
【図６】
0004832038.tif 000008
【図７】
0004832038.tif 000009
【図８】
0004832038.tif 000010